【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされたスロットマシンであって、
前記可変表示装置の表示結果を導出させる際に操作される導出操作手段と、
前記可変表示装置に表示結果が導出される前に、通常遊技状態よりも遊技者にとって有利な特別遊技状態への移行を伴う複数種類の特別入賞を含む入賞について発生を許容するか否かを決定する事前決定手段と、
前記事前決定手段により前記特別入賞の発生を許容する旨が決定され、該特別入賞が発生しなかったときに、当該特別入賞の発生を許容する旨の決定を次ゲーム以降に持ち越す持越手段と、
前記事前決定手段の決定結果に基づいて前記可変表示装置に表示結果を導出させる制御を行う導出制御手段と、
を備え、
前記導出制御手段は、
前記事前決定手段により前記複数種類の特別入賞のうち第１の特別入賞の発生を許容する旨の決定がなされているときに、前記特別入賞の発生が許容されている旨を示唆する特定の表示結果を前記可変表示装置に導出させる制御を行う第１の特別入賞導出制御手段と、
前記事前決定手段により前記特別入賞の発生を許容する旨の決定がなされていないときに、前記特定の表示結果以外の表示結果を導出させる制御を行う非特別入賞導出制御手段と、
前記事前決定手段により前記複数種類の特別入賞のうち第２の特別入賞の発生を許容する旨の決定がなされているときに、前記第１の特別入賞導出制御手段により前記特定の表示結果が前記可変表示装置に導出される割合よりも低い割合で前記特定の表示結果を前記可変表示装置に導出させる制御を行う第２の特別入賞導出制御手段と、
を含む
ことを特徴とするスロットマシン。
【請求項２】
遊技用価値を用いて１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされたスロットマシンであって、
前記可変表示装置の表示結果を導出させる際に操作される導出操作手段と、
前記可変表示装置に表示結果が導出される前に、通常遊技状態よりも遊技者にとって有利な特別遊技状態への移行を伴う複数種類の特別入賞を含む入賞について発生を許容するか否かを決定する事前決定手段と、
前記事前決定手段により前記特別入賞の発生を許容する旨が決定され、該特別入賞が発生しなかったときに、当該特別入賞の発生を許容する旨の決定を次ゲーム以降に持ち越す持越手段と、
前記事前決定手段の決定結果に基づいて前記可変表示装置に表示結果を導出させる制御を行う導出制御手段と、
を備え、
前記導出制御手段は、
前記事前決定手段により前記複数種類の特別入賞のうち第１の特別入賞の発生を許容する旨の決定がなされているときに、前記特別入賞の発生が許容されている旨を示唆する特定の表示結果を前記可変表示装置に導出させる制御を行う第１の特別入賞導出制御手段と、
前記事前決定手段により前記特別入賞の発生を許容する旨の決定がなされていないときに、前記特定の表示結果以外の表示結果を導出させる制御を行う非特別入賞導出制御手段と、
前記事前決定手段により前記複数種類の特別入賞のうち第２の特別入賞の発生を許容する旨の決定がなされているときに、前記特定の表示結果を前記可変表示装置に導出させない制御を行う第２の特別入賞導出制御手段と、
を含む
ことを特徴とするスロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
遊技用価値を用いて１ゲームに対して所定数の賭数を設定することによりゲームが開始可能となるとともに、各々が識別可能な複数種類の識別情報を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
前記可変表示装置の表示結果を導出させる際に操作される導出操作手段（ストップスイッチ８Ｌ、８Ｃ、８Ｒ）と、
前記可変表示装置に表示結果が導出される前に、通常遊技状態よりも遊技者にとって有利な特別遊技状態（ＢＢ、ＲＢ）への移行を伴う複数種類の特別入賞（特別役）を含む入賞について発生を許容するか否かを決定する事前決定手段（内部抽選）と、
前記事前決定手段により前記特別入賞（特別役）の発生を許容する旨が決定され、該特別入賞が発生しなかったときに、当該特別入賞の発生を許容する旨の決定（特別役の当選フラグ）を次ゲーム以降に持ち越す持越手段と、
前記事前決定手段（内部抽選）の決定結果に基づいて前記可変表示装置（リール２Ｌ、２Ｃ、２Ｒ）に表示結果を導出させる制御を行う導出制御手段と、
を備え、
前記導出制御手段は、
前記事前決定手段により前記複数種類の特別入賞のうち第１の特別入賞（ＢＢ（３）〜（５）、ＲＢ（２）〜（４））の発生を許容する旨の決定がなされているときに、前記特別入賞（特別役）の発生が許容されている旨を示唆する特定の表示結果（リーチ目）を前記可変表示装置に導出させる制御を行う第１の特別入賞導出制御手段と、
前記事前決定手段により前記特別入賞（特別役）の発生を許容する旨の決定がなされていないときに、前記特定の表示結果（リーチ目）以外の表示結果を導出させる制御を行う非特別入賞導出制御手段と、
前記事前決定手段により前記複数種類の特別入賞のうち第２の特別入賞（ＢＢ（１）（２）、ＲＢ（１））の発生を許容する旨の決定がなされているときに、前記第１の特別入賞導出制御手段により前記特定の表示結果（リーチ目）が前記可変表示装置に導出される割合よりも低い割合で前記特定の表示結果（リーチ目）を前記可変表示装置に導出させる制御を行う第２の特別入賞導出制御手段と、
を含む
ことを特徴としている。
この特徴によれば、特別入賞の発生が許容されている旨が確定する特定の表示結果が導出され易い特別入賞と特定の表示結果が導出され難い特別入賞が存在するため、特別入賞の発生を許容する旨の決定がなされていても、一部の特別入賞については特定の表示結果が導出され難く、特定の表示結果が導出されない場合でも、特別入賞の発生が許容されている可能性があるため、特別入賞の発生が許容されていることに対する期待感を持続させることができる。
尚、前記第２の特別入賞導出制御手段が、前記事前決定手段により前記複数種類の特別入賞のうち第２の特別入賞の発生を許容する旨の決定がなされているときに、前記第１の特別入賞導出制御手段により前記特定の表示結果が前記可変表示装置に導出される割合よりも低い割合で前記特定の表示結果を前記可変表示装置に導出させる制御を行うとは、特定の表示結果が導出されるように定められた導出操作手順（導出操作のタイミング及び／または導出操作がなされた順番（可変表示装置が複数の表示領域からなる場合））を、第２の特別入賞の発生を許容する旨の決定がなされているときに、第１の特別入賞の発生を許容する旨の決定がなされているときよりも少なくするようにしても良いし、一の特別入賞の発生を許容する旨が決定された際に、特定の表示結果を導出可能な制御パターン及び特定の表示結果を導出不可能な制御パターンのうちいずれかの制御パターンを選択し、選択した制御パターンに基づいて表示結果を導出される制御を行う場合であれば、第２の特別入賞の発生を許容する旨が決定されたときに、第１の特別入賞の発生を許容する旨が決定されたときに比較して特定の表示結果を導出可能な制御パターンが選択される確率を低くすることで特定の表示結果が導出される割合を低くするようにしても良い。
また、前記可変表示装置が複数の可変表示領域からなり、全ての可変表示領域に表示結果が導出されることでゲームが終了する構成においては、前記第２の特別入賞導出制御手段は、前記事前決定手段により前記複数種類の特別入賞のうち第２の特別入賞の発生を許容する旨の決定がなされているときに、全ての可変表示領域に表示結果が導出される段階で、前記第１の特別入賞導出制御手段により前記特定の表示結果が前記可変表示装置に導出される割合よりも低い割合で前記特定の表示結果を前記可変表示装置に導出させる制御を行うようにしても良く、全ての可変表示領域に表示結果が導出される前の段階において、前記第１の特別入賞導出制御手段により前記特定の表示結果が前記可変表示装置に導出される割合よりも低い割合で前記特定の表示結果を前記可変表示装置に導出させる制御を行うようにしても良い。さらに、後者の場合には、全ての可変表示領域に表示結果が導出される段階においては、前記第１の特別入賞導出制御手段により前記特定の表示結果が前記可変表示装置に導出される割合と同じ割合で前記特定の表示結果を前記可変表示装置に導出させる制御を行うようにしても良く、このような構成とした場合には、全ての可変表示領域に表示結果が導出される前の段階では、特定の表示結果が導出されない場合でも、特別入賞の発生が許容されている可能性があるため、全ての可変表示領域が導出されるまでは、特別入賞の発生が許容されていることに対する期待感を持続させることができる。
【手続補正３】
【補正対象書類名】明細書
【補正対象項目名】０００９
【補正方法】変更
【補正の内容】
【０００９】
本発明の請求項２に記載のスロットマシンは、
遊技用価値を用いて１ゲームに対して所定数の賭数を設定することによりゲームが開始可能となるとともに、各々が識別可能な複数種類の識別情報を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
前記可変表示装置の表示結果を導出させる際に操作される導出操作手段（ストップスイッチ８Ｌ、８Ｃ、８Ｒ）と、
前記可変表示装置に表示結果が導出される前に、通常遊技状態よりも遊技者にとって有利な特別遊技状態（ＢＢ、ＲＢ）への移行を伴う複数種類の特別入賞（特別役）を含む入賞について発生を許容するか否かを決定する事前決定手段（内部抽選）と、
前記事前決定手段により前記特別入賞（特別役）の発生を許容する旨が決定され、該特別入賞が発生しなかったときに、当該特別入賞の発生を許容する旨の決定（特別役の当選フラグ）を次ゲーム以降に持ち越す持越手段と、
前記事前決定手段（内部抽選）の決定結果に基づいて前記可変表示装置（リール２Ｌ、２Ｃ、２Ｒ）に表示結果を導出させる制御を行う導出制御手段と、
を備え、
前記導出制御手段は、
前記事前決定手段により前記複数種類の特別入賞のうち第１の特別入賞（ＢＢ（３）〜（５）、ＲＢ（２）〜（４））の発生を許容する旨の決定がなされているときに、前記特別入賞（特別役）の発生が許容されている旨を示唆する特定の表示結果（リーチ目）を前記可変表示装置に導出させる制御を行う第１の特別入賞導出制御手段と、
前記事前決定手段により前記特別入賞（特別役）の発生を許容する旨の決定がなされていないときに、前記特定の表示結果（リーチ目）以外の表示結果を導出させる制御を行う非特別入賞導出制御手段と、
前記事前決定手段により前記複数種類の特別入賞のうち第２の特別入賞（ＢＢ（１）（２）、ＲＢ（１））の発生を許容する旨の決定がなされているときに、前記特定の表示結果（リーチ目）を前記可変表示装置に導出させない制御を行う第２の特別入賞導出制御手段と、
を含む
ことを特徴としている。
この特徴によれば、特別入賞が許容されている旨が確定する特定の表示結果が導出され得る特別入賞と特定の表示結果が導出されない特別入賞が存在するため、特別入賞の発生を許容する旨の決定がなされていても、一部の特別入賞については特定の表示結果が導出されず、特定の表示結果が導出されない場合でも、特別入賞の発生が許容されている可能性があるため、特別入賞の発生が許容されていることに対する期待感を持続させることができる。
尚、前記可変表示装置が複数の可変表示領域からなり、全ての可変表示領域に表示結果が導出されることでゲームが終了する構成においては、前記第２の特別入賞導出制御手段は、前記事前決定手段により前記複数種類の特別入賞のうち第２の特別入賞の発生を許容する旨の決定がなされているときに、全ての可変表示領域に表示結果が導出される段階で、前記特定の表示結果を前記可変表示装置に導出させない制御を行うようにしても良く、全ての可変表示領域に表示結果が導出される前の段階において、前記特定の表示結果を前記可変表示装置に導出させない制御を行うようにしても良い。さらに、後者の場合には、全ての可変表示領域に表示結果が導出される段階においては、前記特定の表示結果を前記可変表示装置に導出させる制御を行うようにしても良く、このような構成とした場合には、全ての可変表示領域に表示結果が導出される前の段階では、特定の表示結果が導出されない場合でも、特別入賞の発生が許容されている可能性があるため、全ての可変表示領域が導出されるまでは、特別入賞の発生が許容されていることに対する期待感を持続させることができる。
【手続補正４】
【補正対象書類名】明細書
【補正対象項目名】００１１
【補正方法】変更
【補正の内容】
【００１１】
本発明の手段１に記載のスロットマシンは、請求項１または２に記載のスロットマシンであって、
前記第１の特別入賞（ＢＢ（３）〜（５）／ＲＢ（２）〜（４））に伴って付与される価値（ＢＢ／ＲＢ）は、前記第２の特別入賞（ＢＢ（１）（２）、ＲＢ（１））に伴って付与される価値（ＢＢ／ＲＢ）と同一である
ことを特徴としている。
この特徴によれば、特定の表示結果が導出され難い、または特定の表示結果が導出されない特別入賞に伴って付与される価値が、特定の表示結果が導出され易い、または特定の表示結果が表示され得る特別入賞に伴って付与される価値と同一であるため、特定の表示結果が導出されなかった場合にも、特定の表示結果が導出され易い、または特定の表示結果が表示され得る特別入賞と同等の価値が付与されることへの期待感を持続させることができる。
尚、特別入賞に伴って付与される価値とは、入賞によって付与される遊技用価値、移行する特別遊技状態における有利度（終了条件や特別遊技状態中に入賞が許容される確率など）であり、価値が同一とは、特に後者において全く同一の遊技用価値が付与されることを意味するものではなく、全く同一の条件であれば付与される価値が同一という意味であり、例えば、特別遊技状態の有利度が同一であっても実際に付与される遊技用価値が同一となる場合もあれば、異なる場合もあり得る。
【手続補正５】
【補正対象書類名】明細書
【補正対象項目名】００１２
【補正方法】変更
【補正の内容】
【００１２】
本発明の手段２に記載のスロットマシンは、請求項１、２または手段１のいずれかに記載のスロットマシンであって、
前記導出制御手段は、前記特別入賞（特別役）の発生を許容する旨と前記事前決定手段により前記遊技用価値（メダル）を用いることなくゲームを行うことが可能な再遊技（リプレイゲーム）の付与を伴う再遊技入賞（再遊技役）の発生を許容する旨が同時に決定されたときに前記特別入賞（特別役）に対応する入賞表示結果よりも前記再遊技入賞（再遊技役）に対応する入賞表示結果を優先して前記可変表示装置に導出させる制御を行う再遊技入賞優先導出制御手段を含み、
前記事前決定手段（内部抽選）は、前記第２の特別入賞（ＢＢ（１）（２）、ＲＢ（１））の発生を許容する旨の決定が持ち越されているときに、前記第１の特別入賞（ＢＢ（３）〜（５）、ＲＢ（２）〜（４））の発生を許容する旨の決定が持ち越されているときよりも高い確率で前記再遊技入賞（再遊技役）の発生を許容する旨の決定を行う
ことを特徴としている。
この特徴によれば、第２の特別入賞の発生を許容する旨の決定が持ち越されている場合には、特定の表示結果が導出され難い、または特定の表示結果が導出されないうえに、特別入賞よりも優先される再遊技入賞の発生を許容する旨が決定される確率が、第１の特別入賞の発生を許容する旨の決定が持ち越されている場合よりも高まることにより、特別入賞を発生させることが困難となり、特別入賞の発生が許容されているか否かを判別し難くなるため、特別入賞の発生が許容されていることに対する期待感を効果的に持続させることができる。一方で、第１の特別入賞の発生を許容する旨の決定が持ち越されている場合には、第２の特別入賞の発生を許容する旨の決定が持ち越されている場合よりも相対的に再遊技入賞の発生を許容する旨が決定される確率が低いので、特定の表示結果の出現により特別入賞の発生が許容されている旨が示唆されているにも関わらず、特別入賞を発生させることが困難となってしまうことを防止できる。
【手続補正６】
【補正対象書類名】明細書
【補正対象項目名】００１３
【補正方法】変更
【補正の内容】
【００１３】
本発明の手段３に記載のスロットマシンは、請求項１、２、手段１または２のいずれかに記載のスロットマシンであって、
前記導出制御手段は、前記事前決定手段により前記複数種類の特別入賞のうち第３の特別入賞（ＢＢ（３）〜（５））の発生を許容する旨の決定がなされているときに、前記特定の表示結果（リーチ目）とは異なる特殊表示結果（チャンス目）を前記可変表示装置に導出させる制御を行う第３の特別入賞導出制御手段を含み、
前記非特別入賞導出制御手段は、前記事前決定手段により前記特別入賞（特別役）の発生が許容しない旨の決定がなされているときに、前記特殊表示結果（チャンス目）を前記可変表示装置に導出させることが可能であり、
前記第２の特別入賞導出制御手段は、前記事前決定手段により前記第２の特別入賞（ＢＢ（１）（２）、ＲＢ（１））の発生を許容する旨の決定がなされているときに、前記第３の特別入賞導出制御手段により前記特殊表示結果（チャンス目）が前記可変表示装置に導出される割合よりも低い割合で前記特殊表示結果（チャンス目）を前記可変表示装置に導出させる、または前記特殊表示結果（チャンス目）を前記可変表示装置に導出させない制御を行う
ことを特徴としている。
この特徴によれば、特別入賞が許容されている可能性を示唆する特殊表示結果が導出され易い、または特殊表示結果が導出され得る特別入賞と、特殊表示結果が導出され難い、または特殊表示結果が導出されない特別入賞と、が存在するため、特別入賞の発生を許容する旨の決定がなされていても、一部の特別入賞については特定の表示結果も特殊表示結果も導出され難く、または特定の表示結果も特殊表示結果も導出されず、特定の表示結果に加え、特殊表示結果が導出されない場合でも、特別入賞の発生が許容されている可能性があるため、特別入賞の発生が許容されていることに対する期待感を効果的に持続させることができる。
尚、前記第２の特別入賞導出制御手段が、前記事前決定手段により前記第２の特別入賞の発生を許容する旨の決定がなされているときに、前記第３の特別入賞導出制御手段により前記特殊表示結果が前記可変表示装置に導出される割合よりも低い割合で前記特殊表示結果を前記可変表示装置に導出させる制御を行うとは、特殊表示結果が導出されるように定められた導出操作手順（導出操作のタイミング及び／または導出操作がなされた順番（可変表示装置が複数の表示領域からなる場合））を、第２の特別入賞の発生を許容する旨の決定がなされているときに、第３の特別入賞の発生を許容する旨の決定がなされているときよりも少なくするようにしても良いし、一の特別入賞の発生を許容する旨が決定された際に、特殊表示結果を導出可能な制御パターン及び特殊表示結果を導出不可能な制御パターンのうちいずれかの制御パターンを選択し、選択した制御パターンに基づいて表示結果を導出される制御を行う場合であれば、第２の特別入賞の発生を許容する旨が決定されたときに、第３の特別入賞の発生を許容する旨が決定されたときに比較して特殊表示結果を導出可能な制御パターンが選択される確率を低くすることで特殊表示結果が導出される割合を低くするようにしても良い。
また、前記可変表示装置が複数の可変表示領域からなり、全ての可変表示領域に表示結果が導出されることでゲームが終了する構成においては、前記第２の特別入賞導出制御手段は、前記事前決定手段により前記複数種類の特別入賞のうち第２の特別入賞の発生を許容する旨の決定がなされているときに、全ての可変表示領域に表示結果が導出される段階で、前記第３の特別入賞導出制御手段により前記特殊表示結果が前記可変表示装置に導出される割合よりも低い割合で前記特殊表示結果を前記可変表示装置に導出させる制御、または前記特殊表示結果を導出させない制御を行うようにしても良く、全ての可変表示領域に表示結果が導出される前の段階において、前記第３の特別入賞導出制御手段により前記特殊表示結果が前記可変表示装置に導出される割合よりも低い割合で前記特殊表示結果を前記可変表示装置に導出させる制御、または前記特殊表示結果を導出させない制御を行うようにしても良い。さらに、後者の場合には、全ての可変表示領域に表示結果が導出される段階においては、前記第３の特別入賞導出制御手段により前記特殊表示結果が前記可変表示装置に導出される割合と同じ割合で前記特殊表示結果を前記可変表示装置に導出させる制御、または前記特殊表示結果を導出させる制御を行うようにしても良く、このような構成とした場合には、全ての可変表示領域に表示結果が導出される前の段階では、特殊表示結果が導出されない場合でも、特別入賞の発生が許容されている可能性があるため、全ての可変表示領域が導出されるまでは、特別入賞の発生が許容されていることに対する期待感を持続させることができる。
【手続補正７】
【補正対象書類名】明細書
【補正対象項目名】００１４
【補正方法】変更
【補正の内容】
【００１４】
本発明の手段４に記載のスロットマシンは、請求項１、２または手段１〜３のいずれかに記載のスロットマシンであって、
前記事前決定手段は、前記第１の特別入賞（ＢＢ（３）〜（５）、ＲＢ（２）〜（４））の発生のみを許容する旨を決定する第１の特別決定、前記第１の特別入賞（ＢＢ（３）〜（５）、ＲＢ（２）〜（４））の発生を許容する旨及び前記特別入賞以外の一般入賞（スイカ、スイカ＋１枚、黒チェリー、網チェリー、白チェリー）の発生を許容する旨を同時に決定する第２の特別決定、前記第２の特別入賞（ＢＢ（１）（２）、ＲＢ（１））の発生のみを許容する旨を決定する第３の特別決定、前記第２の特別入賞（ＢＢ（１）（２）、ＲＢ（１））の発生を許容する旨及び前記一般入賞（スイカ、スイカ＋１枚）の発生を許容する旨を同時に決定する第４の特別決定を行うことが可能であり、
前記第１の特別決定がなされる確率と前記第２の特別決定がなされる確率との合算確率に占める前記第１の特別決定がなされる確率の比率が、前記第３の特別決定がなされる確率と前記第４の特別決定がなされる確率との合算確率に占める前記第３の特別決定がなされる確率の比率よりも高い確率で前記第１〜４の特別決定を行う
ことを特徴としている。
この特徴によれば、特別入賞と一般入賞が同時に許容されることがあるため、特別入賞の発生と同時に許容され得る一般入賞が発生することで、特別入賞の発生が許容されている可能性が示唆されるが、特定の表示結果が導出され易い、または特定の表示結果が導出され得る特別入賞は、単独で許容される比率が高く、特別入賞と同時に許容され得る一般入賞を経ずに、突然特定の表示結果が導出され、特別入賞の発生を許容する旨が確定することが多いため、特別入賞と同時に許容され得る一般入賞が発生しない場合でも、特別入賞の発生が許容されていることを期待させることができる。一方で、特定の表示結果が導出され難い、または特定の表示結果が導出されない特別入賞は、一般入賞と同時に許容される比率が高く、特別入賞と同時に許容され得る一般入賞が発生しても、特定の表示結果が導出され難い、または特定の表示結果が導出されないことが多いため、特別入賞と同時に許容され得る一般入賞が発生した後に、特定の表示結果が導出されなくても、一般入賞の発生により示唆された特別入賞の発生が許容されていることに対する期待感を持続させることができる。
【手続補正８】
【補正対象書類名】明細書
【補正対象項目名】００１５
【補正方法】変更
【補正の内容】
【００１５】
本発明の手段５に記載のスロットマシンは、請求項１、２、手段１〜４のいずれかに記載のスロットマシンであって、
前記スロットマシンは、複数ゲームに亘り継続し、前記特別入賞（特別役）の発生を許容する旨が決定されている可能性を示唆する連続演出を実行する連続演出実行手段を備え、
前記連続演出実行手段は、前記第２の特別入賞（ＢＢ（１）（２）、ＲＢ（１））の発生を許容する旨の決定がなされたときに、前記第１の特別入賞（ＢＢ（３）〜（５）、ＲＢ（２）〜（４））の発生を許容する旨の決定がなされたときよりも高い割合で前記連続演出を実行する
ことを特徴としている。
この特徴によれば、連続演出は、特定の表示結果が導出され難い、または特定の表示結果が導出されない特別入賞の発生が許容された場合、すなわち可変表示装置の表示結果から特別入賞が許容されているか否かを判別することが困難な特別入賞の発生が許容された場合に実行されることが多いため、連続演出の実行中に特定の表示結果が出現しない場合でも特別入賞の発生が許容されていることに対する期待感が損なわれてしまうことがない。
尚、前記連続演出実行手段は、前記第２の特別入賞の発生を許容する旨の決定がなされたときに、前記第１の特別入賞の発生を許容する旨の決定がなされたときよりも高い割合で前記連続演出を実行するものであれば良く、前記第１の特別入賞の発生を許容する旨の決定がなされたときは前記連続演出を実行せず、前記第２の特別入賞の発生を許容する旨の決定がなされたときのみ前記連続演出を実行するものであっても良い。
【手続補正９】
【補正対象書類名】明細書
【補正対象項目名】００１６
【補正方法】変更
【補正の内容】
【００１６】
本発明の手段６に記載のスロットマシンは、請求項１、２、手段１〜５のいずれかに記載のスロットマシンであって、
複数ゲームに亘り継続し、前記特別入賞（特別役）の発生を許容する旨が決定されている可能性を示唆する連続演出を実行する連続演出実行手段を備え、
前記導出制御手段は、前記特別入賞（特別役）の発生を許容する旨と優先入賞（再遊技役、取りこぼしのない小役）の発生を許容する旨が同時に決定されたときに前記特別入賞（特別役）に対応する入賞表示結果よりも前記優先入賞（再遊技役、取りこぼしのない小役）に対応する入賞表示結果を優先する優先入賞優先導出制御手段を含み、
入賞を発生させるための操作手順が互いに重複しない前記特別入賞（特別役）の種類数：Ｘ、前記連続演出中に前記事前決定手段（内部抽選）により前記優先入賞（再遊技役、取りこぼしのない小役）の発生を許容する旨が決定される確率：Ｙ、前記連続演出の継続ゲーム数：Ｚ、とした場合に、Ｚ＜Ｘ＋Ｙ・Ｚが成立する
ことを特徴としている。
この特徴によれば、連続演出中に特別入賞を発生させることが困難となる優先入賞の発生が期待されるゲーム数と、入賞を発生させるための操作手順が互いに重複しない特別入賞の種類数、すなわち確実に許容された特別入賞を発生させるのに必要なゲーム数と、を加算した値よりも少ない複数ゲームにわたり連続演出が実行されるので、連続演出が終了するまでは、特別入賞の発生を許容する旨が決定されているか否かを確実に判断することが困難となるので、連続演出が終了するまで特別入賞の発生に対する遊技者の期待感を持続させることができる。また、連続演出中に特別入賞を発生させることが困難となる優先入賞の発生が期待されるゲーム数を考慮して連続演出のゲーム数が決まるため、操作手順が互いに重複しない特別入賞の種類数を大幅に増やすことなく、連続演出の継続ゲーム数を増やすことができる。
尚、優先入賞とは、特別入賞とは異なる入賞であり、遊技用価値の付与を伴う小役入賞や遊技用価値を用いることなくゲームを行うことが可能な再遊技が付与される再遊技入賞などのうち、特別入賞よりも優先して入賞表示結果が導出される入賞である。
また、入賞を発生させるための操作手順が互いに重複しない前記特別入賞の種類数とは、一方の特別入賞を発生させるための操作手順で操作を行った場合には、その操作手順のうち一部の操作手順であっても他方の特別入賞を発生させることができない特別入賞の数であり、一部でも入賞を発生させるための操作手順が重複するものは同じ種類とみなし、その種類数には算入しないものである。例えば、３つの特別入賞について、２つの特別入賞は操作手順が重複し、これら操作手順が重複する２つの特別入賞の操作手順と、残りの特別入賞の操作手順とが、それぞれ重複しない場合であっても、２種類となる。
また、前記連続演出中に前記事前決定手段により前記優先入賞の発生を許容する旨が決定される確率：Ｙは、前記連続演出が実行されている期間において前記優先入賞（一般役）の発生を許容する旨が決定される確率であり、例えば、特別入賞の発生を許容する旨が決定されたとき、移行表示結果が導出されたときに、通常よりも優先入賞の発生を許容する旨が決定される確率が高くなる優先入賞高確率遊技状態に制御される場合など、優先入賞の発生を許容する旨が決定される確率を複数備える場合においては、連続演出の継続ゲーム数をＺとし、当該連続演出が実行される遊技状態において優先入賞の発生を許容する旨が決定される確率をＹとし、Ｚ＜Ｘ＋Ｙ・Ｚが成立するものであれば良い。
また、入賞を発生させるための操作手順が互いに重複しない前記第２の特別入賞の種類数：Ｘ’、前記連続演出中に前記事前決定手段により前記優先入賞の発生を許容する旨が決定される確率：Ｙ、前記連続演出の継続ゲーム数：Ｚ、とした場合に、Ｚ＜Ｘ’＋Ｙ・Ｚが成立することが好ましい。連続演出中に特定の表示結果が出現しない場合には、第１の特別入賞よりも第２の特別入賞の発生が許容されている可能性が高まるとともに、第２の特別入賞の発生が許容されているか否かは、特定の表示結果が導出され難い、または特定の表示結果が導出されないことから、第２の特別入賞を発生させるための操作手順によって第２の特別入賞が発生するか否かにより確実に判別することが可能となるが、上記の構成とすることで、連続演出が終了するまでは、第２の特別入賞の発生が許容されているか否かを確実に判断することができないので、連続演出が終了するまで特別入賞の発生に対する遊技者の期待感を確実に持続させることができる。